(57)【要約】【課題】  枝毛が発生しないなど、頭髪に与える損傷が少なく、しかも頭髪を自然な状態で切断でき、作業性にも優れた調髪用カミソリを提供すること。【解決手段】  ガード６を差し込むためのホルダ５を備える本体２と、刃具７を保持するガード６と、刃具７と、から構成される調髪用カミソリにおいて、複数のガード６ａ，６ｂを装着するために、複数のホルダ５ａ，５ｂを本体２に備えて、且つ本体２にはホルダ５ａ，５ｂを加熱できる発熱体１１を組み込むことで、熱により頭髪に作用する荷重が軽減され、しかも切断面が半球状になり枝毛の発生も予防できる。また各ホルダ５ａ，５ｂに頭髪の切断量が異なるガード６ａ，６ｂを装着することで、カミソリを持ち替えることなく多様な切断が連続的に実施できるため、作業性にも優れる。【選択図】      図１
2005246044.tif 000002
【特許請求の範囲】
【請求項１】
ガード（６）を差し込むためのホルダ（５）を備える本体（２）と、刃具（７）を保持するガード（６）と、刃具（７）と、を備え、
前記本体（２）にはホルダ（５）を加熱することのできる発熱体（１１）が組み込まれていることを特徴とする調髪用カミソリ。
【請求項２】
前記本体（２）には、複数のガード（６ａ，６ｂ）を装着するため、複数のホルダ（５ａ，５ｂ）を備えており、且つ前記発熱体（１１）により少なくとも一つのホルダ（５ａ，５ｂ）が加熱できることを特徴とする請求項１記載の調髪用カミソリ。
【請求項３】
前記本体（２）は、グリップ部（４）と、ホルダ（５ａ，５ｂ）を備えている先端部（３）と、から構成され、前記先端部（３）は、本体（２）の長手方向に延びる軸線（１０）を中心に旋回可能な構造であることを特徴とする請求項２記載の調髪用カミソリ。
【請求項４】
前記発熱体（１１）によって刃具（７）が加熱される温度は、１３０℃〜１８０℃の範囲であることを特徴とする請求項１，２または３記載の調髪用カミソリ。
【発明の詳細な説明】
【技術分野】
【０００１】
本発明は、理容店や美容室などで使用される調髪用カミソリに関する。
【背景技術】
【０００２】
主に女性の長髪を美容室で整える際、レザーカットと呼ばれる方法を用いる場合がある。レザーカットは文字通り「Ｒａｚｏｒ」を使用した頭髪の切断方法で、毛先を先細りさせてボリューム感を減らしたり、動きや軽さを演出する目的で用いられる。美容室においてレザーカットに使用される調髪用カミソリは、概ね図４に示される構造で、頭髪を切断するための刃具５４や、刃具５４を挟み込んで保持できるガード５３や、ガード５３を差し込むためのホルダ５２などを備える本体５１などから構成され、使用時は本体５１に形成されたグリップ部５５を握り、刃先を頭髪に接触させて切断作業を行う。
【０００３】
図４のように刃具５４は矩形状で、一方の長辺に鋭利な刃先が形成され、またガード５３は薄い板を中央付近で約１８０度折り曲げた構造で、刃具５４を内部に挟み込んで保持できる。このガード５３に刃具５４を挟み込む場合、刃先をガード５３の端部から突出させるが、安全性を確保するためガード５３の端部には波状の溝５６が加工されている。そのため刃具５４をガード５３に収容する際、刃先を溝５６の頂部より低い位置に合わせると刃先が外部に突出しないため、刃先に指などが近づいた場合も、刃先に触れる前にガード５３に触れるためケガなどの事故を防止できる。ただし頭髪など断面積が小さいものは溝５６の中に入り込むため、刃先に触れて切断される。なおガード５３に形成される溝５６の大きさや間隔を変えることで、一度に切断される頭髪の量を調整でき、状況に応じて使い分けが可能である。
【発明の開示】
【発明が解決しようとする課題】
【０００４】
レザーカットは、カミソリで頭髪を切断することから、刃具との接触角度が適切でない場合に、切断面が鋭利になったり毛先付近が針状になる恐れがあり、毛先が意に反して跳ね上がるなどの問題がある上、切断時に作用する力により頭髪が引き切られて、枝毛の原因になりやすい。またレザーカットを行う場合、頭髪に水分を含ませて柔らかくする前工程が必要で、そのため髪形が自然な状態から変化してしまい、ドライヤーなどで乾燥させた後、違和感のある髪形になったことに気づく場合がある。
【０００５】
レザーカットを行う場合、初期段階では一度に大量の頭髪を切断するが、仕上げの段階ではスタイルを考慮しながら少しずつ切断していく必要がある。また一度に大量に切断しても問題がない部位と、当初から慎重に切断すべき部位が混在しており、状況によって作業の内容は大きく異なっている。したがって途中で用途の異なるカミソリを使用する必要があり、施術者はあらかじめガードや刃具の異なる複数のカミソリを用意して、調髪の度合いに応じて最適なものに交換する必要がある。そのためカミソリを持ち替える作業が発生するほか、これらの置き場所を確保しなければならず、作業効率が低下するなどの問題がある。
【０００６】
本発明はこうした実状を基に開発されたもので、頭髪に与える損傷が少なく、しかも頭髪を自然な状態で切断でき、作業性にも優れた調髪用カミソリの提供を目的としている。
【課題を解決するための手段】
【０００７】
前記の課題を解決する請求項１記載の発明は、ガードを差し込むためのホルダを備える本体と、刃具を保持するガードと、刃具と、を備え、前記本体にはホルダを加熱することのできる発熱体が組み込まれていることを特徴とする調髪用カミソリである。
【０００８】
本発明は、従来からの調髪用カミソリを改良して、刃具を加熱するための発熱体が組み込まれていることが特徴である。発熱体から発生した熱は、金属など熱伝導率の優れた素材を伝わりホルダを加熱する。ホルダはガードを介して刃具に接触しており、ホルダが加熱されると刃具にも速やかに熱が伝導していく。発熱体はどのような形態でも構わないが、電気を利用したものが簡単で安全性も高く、具体例としてはセラミックスヒーターなどが挙げられる。
【０００９】
発熱体に供給する電力は、本体に電気コードを接続して外部から供給を受ける方式が簡単だが、調髪時に電気コードの扱いが面倒な場合もあり、本体に電池などの電源を組み込むことも可能である。なお発熱体は、火災や火傷などの事故を防止するため、ヒューズやサーモスタットを使用して過熱を防止するほか、一定時間が経過すると通電が止まるなどの安全対策も必要である。また発熱体の周辺は耐熱性のある素材を使用するほか、持ち手などに熱が伝達しないような対策も必要である。
【００１０】
刃具を過熱することで、従来は頭髪を力だけで切断していたが、本発明では頭髪を加熱する作用が加わるため、頭髪が熱で局地的に軟化して、切断時に必要な荷重が減少して損傷を抑えることができ、しかも切断面が軟化してから固まるため、枝毛の発生も防止できる。しかし刃具の温度が高すぎると熱により頭髪の損傷が発生するほか、特有の臭気が発生するなど問題があり、また温度が低いと効果が発揮されないため、十分な温度管理が必要である。なお本発明は、頭髪を熱で焼き切ることは念頭になく、あくまでカミソリでの調髪を支援するために発熱体を使用している。
【００１１】
請求項２記載の発明は、本体には、複数のガードを装着するため、複数のホルダを備えており、且つ前記発熱体により少なくとも一つのホルダが加熱できることを特徴とする調髪用カミソリである。
【００１２】
これまでの調髪用カミソリは、一つの本体に一つの刃具を装着するものだったが、この発明では一つの本体に複数のホルダを備えていることが特徴で、複数の刃具を同時に装着できる。ホルダの配置数や位置については限定されないが、個々の刃具は異なる用途に使用される場合が多く、できるだけ相互に影響を与えないように配置すべきであり、例えばホルダが二個の場合、本体に対して対称に配置する。このように配置すると頭髪を切断する際、本体を持つ手を身体に向けて移動させると一方の刃具で切断が行え、逆に手を身体から離す方向に移動させると他方の刃具で切断が行える。この際、個々の刃具に溝の大きさや間隔の異なるホルダを使用して、一方の刃具では切断量を多くして初期段階に、他方は切断量を少なくして仕上げ用にするなど、目的に応じた使い分けが容易に実施できる。
【００１３】
なお一つの本体に複数のホルダを備える場合、一つの発熱体で一つのホルダを集中的に加熱する、あるいはホルダごとに個別に発熱体を持つなど様々な形態が可能だが、大きさなどの制約から、一つの発熱体から全てのホルダに熱が伝導するような構造が一般的である。
【００１４】
請求項３記載の発明は、本体は、グリップ部と、複数のホルダを備えている先端部と、から構成され、先端部は、本体の長手方向に延びる軸線を中心に旋回可能な構造であることを特徴としている。頭髪を切断する場合、本体を持つ手を身体に近づけるように移動させるのが最も自然な動作である。一方、請求項２記載の発明は一つの本体に複数のホルダを備えており、どのホルダに挟み込まれている刃具も、この自然な動作で使用できることが望ましい。そこで本体は、ホルダを備えている先端部と、使用時に手で握られるグリップ部に分割して、この先端部が、本体の長手方向に延びる軸線を中心に旋回できる構造にすると、グリップ部を握りながら先端部だけを旋回させて刃具の配置を変えることができる。
【００１５】
本体の先端部を単に旋回可能な構造にするだけでは、刃具が固定されないため非常に危険で利便性も悪い。そこで先端部とグリップ部との接合部には、何らかの係止手段を設けて通常は旋回できない構造で、ボタンを押すなどの操作を行うと係止手段が解除できるなどの対策が必要である。また発熱体を本体の先端部の内部に組み込む場合、電線のねじれに対処できる構造にすべきである。
【００１６】
また理想的なカットを行う場合、請求項４記載の発明のように、発熱体によって刃具が加熱される温度は、１３０℃〜１８０℃の範囲に設定することが望ましい。加熱温度をこのように限定することで、頭髪が刃具に触れると瞬時に熱が伝達して、頭髪が急速に柔らかくなり、刃具の通りが良くなる上、毛先も球状に変化して枝毛などのトラブルを予防できるほか、頭髪が燃えるほどの高温ではないため、特有の臭気が発生しない。したがって作業性が改善され、刃具の寿命も延び、思い取りの髪形を顧客に提供することが可能になる。本発明による調髪用カミソリは、誤って皮膚に接触すると火傷を負う程度に加熱しているが、美容師などの専門性を有する限られた技術者が使用することを前提にしており、安全性に全く問題はなく、ひげ剃りなどの皮膚と直接触れる汎用カミソリでは実現不可能な温度に刃具を加熱して、理想的な調髪を追求している。
【発明の効果】
【００１７】
請求項１記載の発明のように、刃具を発熱体で加熱する機能を持たせることで、頭髪を切断する際に作用する力が軽減して損傷の発生を防止できるほか、切断面が熱により半球形になるため、枝毛の発生も予防される。また切断時の負荷が軽減することで、従来は調髪に先立って頭髪に水分を与える必要があったが、本発明では乾いた状態で使用でき、髪形の確認も逐次行えるため、思いのままのスタイルに仕上げることが可能である。
【００１８】
請求項２記載の発明のように、一つの本体に複数のホルダを備えることで、多量に頭髪を切断できるガードと、仕上げのため微量だけ頭髪を切断できるガードなど、目的の異なる複数のガードおよび刃具を、事前にまとめて本体に装着可能で、作業時は必要に応じて異なる刃具を即座に選択可能であるため、動作を中断することなく各種の調髪が連続的に行え、時間短縮や労力の軽減が可能である。
【００１９】
請求項３記載の発明のように、ホルダを備えた先端部が旋回できることで、グリップ部を手で握った状態で刃具の配置を変えることができるため、複数のホルダを無理な姿勢をすることなく簡単に使い分けることができ、更なる時間短縮や労力の軽減が可能である。
【００２０】
請求項４記載の発明のように、刃具の加熱温度を限定することで、頭髪の損傷をできるだけ抑えながら調髪を行うことが可能で、しかも刃具の切れ味が最適な状態になり、作業時間の短縮や刃具の長寿命化などの利点があり、加えて頭髪が燃える際の独特の臭気が発生することもなく、最も理想的なレザーカットを提供することが可能になる。
【発明を実施するための最良の形態】
【００２１】
図１は、本発明による調髪用カミソリ１の構造例を示す斜視図である。刃具７を取り付けるための本体２は、ホルダ５ａ，５ｂを備えた先端部３と、使用時に手に馴染むよう外面に凹凸を設けているグリップ部４から構成され、二つのホルダ５ａ，５ｂは先端部３を中心に、対向するように設置されている。各ホルダ５には、規格にあう刃具７をガード６ａ，６ｂを介して差し込むことができ、各ホルダ５とも刃具７は同一の形状のものを使用するが、ガード６ａ，６ｂは、溝８の形態が異なる。ホルダ５ａに取り付けられているガード６ａは、隣接する溝８の間隔が狭いため、一度に多量の頭髪が刃先９に触れて切断できるが、対向位置のホルダ５ｂに取り付けられているガード６ｂは、隣接する溝８の間隔が広く、刃先９に触れる頭髪の量は限定されるため、主に仕上げ時に使用される。ガード６の端部は、刃先９より外側にあるため、指などが刃具７に近づいた場合も、ガード６に接触するだけでケガなどの危険はない。
【００２２】
本体２の先端部３の内部には、破線で示されるようにセラミックスを使用した発熱体１１が組み込まれており、ここから発生した熱はまずホルダ５に伝わり、ガード６を介して刃具７が過熱される。発熱体１１に供給される電力は、グリップ部４の末端から延びる電気コード１２から供給され、また発熱体１１への通電を行うスイッチ１３や、作動状態を示すランプ１４が、グリップ部４上面に装備されている。そのほか先端部３は、本体２を長手方向に貫く軸線１０を中心に旋回できる構造だが、先端部３はいつでも自在に旋回できる訳ではなく、通常は内部に組み込まれた係止機構１７によりグリップ部４と一体になっている。しかし先端部３の末端上側に設置されたボタン１８ａを押すと、係止機構１７が解除されて自在に旋回できる状態になる。頭髪を切断する過程で、最後の仕上げを行うため使用する刃具７を交換したい場合は、グリップ部４を握りながら指でボタン１８ａを押してから先端部３を旋回させると、途中で図１（ロ）に示す状態になった後、図１（ハ）に示す状態になる。図１（ハ）の状態は先端部３が１８０度旋回した後の状態で、隣接する溝８の間隔が広いガード６ｂが上方にあり、再び係止機構１７により先端部３が固定される。
【００２３】
図２は本体２の先端部３とその周辺の構造を示す断面図で、図２（イ）は図１のＡ−Ａ断面を、図２（ロ）（ハ）は図１のＢ−Ｂ断面を示している。ただし図２（イ）はガード６と刃具７の図示を省略している。先端部３とグリップ部４とは分離することなく、しかも双方は軸線１０を中心に自在に旋回できるよう、ジョイント１９を介して結合している。ジョイント１９は断面が円形の滑り面を持ち、周方向に自在に旋回可能だが、軸線１０方向の移動は規制されている。また先端部３の内部には発熱体１１が組み込まれているが、発熱体１１はグリップ部４から延びるアーム２０に固定されており、先端部３が旋回した場合も発熱体１１は動かない。そのほか発熱体１１の温度を監視するため、先端部３内部には温度センサ１５も組み込まれており、異常な高温になった場合や、規定の温度に達していない場合を検知できる。なお発熱体１１や温度センサ１５のほか、スイッチ１３やランプ１４は、グリップ部４に組み込まれた制御装置１６に接続されている。
【００２４】
先端部３の旋回を規制するための係止機構１７は、ジョイント１９の外縁を延長した箇所に切り欠きを形成して、切り欠きにボタン１８の底部が噛み合う構造である。図２（イ）のようにボタン１８ａが押されていない場合、ボタン１８ａの底部が切り欠きに噛み合っており、先端部３が自在に旋回することはない。なおこの際、下側のボタン１８ｂの方には、係止機構１７が存在していない。そして施術者が刃具７を変えるため先端部３を旋回させる場合は、まずボタン１８ａを押して、係止機構１７を解除する。先端部３を１８０度旋回させるとボタン１８ｂの底部が切り欠きに噛み合い、再び固定される。
【００２５】
図２（ロ）（ハ）は先端部３の断面形状を示しており、（ロ）は先端部３が旋回不能に固定されている状態を、（ハ）は先端部３が旋回途中の状態を示している。刃具７を取り付けるためのホルダ５は、先端部３の外皮の内外を貫通しており、内部で発熱体１１に接触している。先端部３を旋回させた場合は、ホルダ５が発熱体１１の外周面を摺動することがあり、そのため発熱体１１の外周は曲面に形成され摩耗の少ない皮膜で覆われている。発熱体１１は、先端部３の中に浮いた状態で固定されているため、生じた熱は大半がホルダ５に伝達する。
【００２６】
図３は、本発明のカミソリ１に組み込まれる電気機器の構成例を示す線図である。頭髪を熱によって素早く軟化させて、しかも臭気を発生させずに作業を行うには、刃先９の温度を１５０℃付近に調整することが望ましい。そこで刃先９がこの温度を維持できるよう、かつ異常発熱などを防止できるようグリップ部４の内部には、制御装置１６が組み込まれている。また作動状態を示すランプ１４は、発光ダイオードを使用したもので、緑と赤と橙の三色に点灯できる。使用時に電気コード１２をコンセントに差し込み、スイッチ１３を入れると、発熱体１１への通電が開始され、また温度センサ１５は、発熱体１１の温度を測定し始める。温度センサ１５からの情報で、規定の温度に達していない場合は、これを使用者に示すため、ランプ１４は橙色に点灯する。そして規定温度に到達すると、ランプ１４は緑色に点灯して適正温度になったことを知らせる。さらに温度上昇が規定を大幅に越えた場合は、発熱体１１への通電を止めて、同時にランプ１４を赤色に点灯する。このほか制御装置１６にはタイマー機能を備えており、スイッチ１３を入れてから十五分など一定時間が経過した場合、発熱体１１への通電を停止してランプ１４を赤色に点灯し、消し忘れによる事故を防止する。
【図面の簡単な説明】
【００２７】
【図１】本発明による調髪用カミソリの構造例を示す斜視図で、（イ）は先端部を旋回する前の状態で、（ロ）は旋回途中の状態で、（ハ）は旋回後の状態である。
【図２】図１に示すカミソリの内部構造を示す断面図で、（イ）は図１のＡ−Ａ断面で、（ロ）と（ハ）は図１のＢ−Ｂ断面図である。
【図３】本発明によるカミソリに組み込まれる電気回路の構成例を示す線図である。
【図４】従来からレザーカットに使用されているカミソリの形状を示す図で、（イ）と（ロ）は斜視図で、（ハ）は側面図である。
【符号の説明】
【００２８】
１  カミソリ
２  本体
３  先端部
４  グリップ部
５ａ，５ｂ  ホルダ
６ａ，６ｂ  ガード
７  刃具
８  溝
９  刃先
１０  軸線
１１  発熱体
１２  電気コード
１３  スイッチ
１４  ランプ
１５  温度センサ
１６  制御装置
１７  係止機構
１８ａ，１８ｂ  ボタン
１９  ジョイント
２０  アーム
【図１】
2005246044.tif 000003
【図２】
2005246044.tif 000004
【図３】
2005246044.tif 000005
【図４】
2005246044.tif 000006